(57)【要約】【課題】折り畳み式携帯通信機器の回転構造を提供する。【解決手段】本考案は携帯通信機器の回転構造に関するものであって、携帯通信機器本体１を設け、本体１は固定フレーム１０とアクティブフレーム２０がアクティブ開閉方式により結合し、二つのフレームの片側には弾性部材を設け、他側には主動歯車２３及び被動歯車１５により構成される回転構造が設けることにより、アクティブフレーム２０が軽やかで円滑に開閉及び固定できるようになる。【選択図】図１
0003124117.tif 000002
【実用新案登録請求の範囲】
【請求項１】
携帯通信機器本体であって、固定フレーム、アクティブフレーム、及び横向きに二つのフレームを貫通する軸から構成され、両フレーム間には弾性部材を設け、アクティブフレームが省力方式により固定フレームに相対し開閉可能とし、両側フレームの接合箇所には回転構造を設け、相互に噛みあう主動歯車及び被動歯車により構成されることを特徴とする折り畳み式携帯通信機器の回転構造。
【請求項２】
前記本体は携帯電話であって、携帯電話の固定フレーム表面にはディスプレイ及び操作キーモジュールを設け、上端の両側には内側に向かい対称をなす第一、第二収容部が凸設され、第一収容部内側には被動歯車が設置され、アクティブフレームの上端の中央には第二収容部に収容可能な接合部が凸設され、第一側面部には被動歯車と噛み合う主動歯車が設けられ、第二側面部と第二収容部との間にはバネが設けられることを特徴とする請求項１に記載の携帯通信製品の回転構造。
【請求項３】
前記本体は携帯パソコンであって、携帯パソコンの固定フレーム表面には操作キーモジュールが設けられ、上端の両側には内側に向かい対称をなす第一、第二収容部が凸設され、第一収容部内側には被動歯車が設置され、アクティブフレームの表面には予め寸法の定められたディスプレイが設けられ、上端の中央には第二収容部に収容可能な接合部が凸設され、接合部には横無為に貫通し両側面に露出してなる軸を設け、第一側面に露出した軸は被動歯車と噛み合う主動歯車に固定され、第二側面に露出した軸は第二収容部との間にバネを設けることを特徴とする請求項１に記載の携帯通信製品の回転構造。
【請求項４】
前記接合部の第二側面に露出する軸に被せられてなるバネの一端はアクティブフレームの予め定められた箇所に挿入され、他端は第二収容部のラッチに押さえられることを特徴とする請求項２又は３に記載の携帯通信製品の回転構造。
【請求項５】
前記固定フレームの上縁面にはアンテナが設けられることを特徴とする請求項１に記載の携帯通信製品の回転構造。
【考案の詳細な説明】
【技術分野】
【０００１】
本考案は折り畳み式構造に関してなり、特に構造使用寿命を延長させる折り畳み式携帯通信装置に関してなる。
【背景技術】
【０００２】
一般的な携帯通信電子製品は、携帯電話或いは、無線ＬＡＮ等が利用可能な携帯式パソコン等があり、それらの共通点として遠く離れた相手との言語コミュニケーション効果を提供することを可能としている。
【０００３】
更に、科学技術の飛躍的な進歩、技術の成熟に従い、早期に国外で流行していた３Ｇ通信技術も国内の携帯電話市場に導入され、携帯電話は単に言語コミュニケーションを提供するのみではなく、携帯パソコンのように無線インターネット技術を供えてなり、更にはＭＳＮ、ＳＫＹＰＥ等のメッセンジャーソフトウェアと同様の機能を具有した携帯電話或いは携帯パソコンは、使用者にとって、新規性、便利性のある科学技術製品と言うことができる。
【０００４】
上述の携帯電話と携帯パソコンはソフトウェアによる共通の効用を備えるだけではなく、ハードウェアにおいて共通点を備えてなり、携帯パソコンと折り畳み式携帯電話はどちらも固定フレーム及び開閉可能なアクティブフレームより構成されてなり、折り畳み式カバーは軽量で精巧になっている。
【０００５】
携帯電話或いは携帯パソコンは、固定フレーム（或いはアクティブフレーム）の両側に対称をなす収容部を備えてなり、アクティブフレーム（或いは固定フレーム）の中央には二つの収容部に収容される接合部を設けてなり、固定軸を横向きにアクティブフレームに通過させ接続し、固定軸上のスプリングの両端を二つのフレームの適当な箇所に挿入設置し、アクティブフレームを開閉時に、スプリングの回復力により省力、迅速な開閉定位の効果を達成する。省力、迅速な開閉を提供するスプリング設計は、アクティブフレームを迅速にジャンプさせ定位させてなり、接合部の箇所に凸設したラッチは長時間の反復衝突を受けて、損壊或いは断裂を発生し、更にはアクティブフレームを簡単に開く効果が喪失する。
【０００６】
更に、公知の折り畳み式携帯通信機はスプリングによりアクティブフレームを開いてなるが、長時間の使用において、開閉の円滑性が低減してなり、携帯通信機器の開閉構造の使用寿命及び円滑性の向上は、関連業界が競って研究開発を欲する所である。
【特許文献１】実用新案登録第３０８８３３２号
【考案の開示】
【考案が解決しようとする課題】
【０００７】
本考案は、折り畳み式携帯通信機器のアクティブフレームにおける開閉過程を更に円滑にすることを目的とする。
【０００８】
本考案は更に、折り畳み式携帯通信機器のアクティブフレームをより軽やかに開閉及び固定させることを目的とする。
【課題を解決するための手段】
【０００９】
上記の課題を解決するために、本考案は、下記の特徴を有する折り畳み式携帯通信機器の回転構造を提供する。
１．請求項１に記載の折り畳み式携帯通信機器の回転構造は、携帯通信機器本体であって、固定フレーム、アクティブフレーム、及び横向きに二つのフレームを貫通する軸から構成され、両フレーム間には弾性部材を設け、アクティブフレームが省力方式により固定フレームに相対し開閉可能とし、両側フレームの接合箇所には回転構造を設け、相互に噛みあう主動歯車及び被動歯車により構成されることを特徴とする。
２．請求項２に記載の折り畳み式携帯通信機器の回転構造は、請求項１の場合において、前記本体は携帯電話であって、携帯電話の固定フレーム表面にはディスプレイ及び操作キーモジュールを設け、上端の両側には内側に向かい対称をなす第一、第二収容部が凸設され、第一収容部内側には被動歯車が設置され、アクティブフレームの上端の中央には第二収容部に収容可能な接合部が凸設され、第一側面部には被動歯車と噛み合う主動歯車が設けられ、第二側面部と第二収容部との間にはバネが設けられることを特徴とする。
３．請求項３に記載の折り畳み式携帯通信機器の回転構造は、請求項１の場合において、前記本体は携帯パソコンであって、携帯パソコンの固定フレーム表面には操作キーモジュールが設けられ、上端の両側には内側に向かい対称をなす第一、第二収容部が凸設され、第一収容部内側には被動歯車が設置され、アクティブフレームの表面には予め寸法の定められたディスプレイが設けられ、上端の中央には第二収容部に収容可能な接合部が凸設され、接合部には横無為に貫通し両側面に露出してなる軸を設け、第一側面に露出した軸は被動歯車と噛み合う主動歯車に固定され、第二側面に露出した軸は第二収容部との間にバネを設けることを特徴とする。
４．請求項４に記載の折り畳み式携帯通信機器の回転構造は、請求項２又は３の場合において、前記接合部の第二側面に露出する軸に被せられてなるバネの一端はアクティブフレームの予め定められた箇所に挿入され、他端は第二収容部のラッチに押さえられることを特徴とする。
５．請求項５に記載の折り畳み式携帯通信機器の回転構造は、請求項１の場合において、前記固定フレームの上縁面にはアンテナが設けられることを特徴とする。
【考案の効果】
【００１０】
本考案は、携帯通信機器本体を設けてなり、本体は固定フレームとアクティブフレームがアクティブ開閉方式により結合してなりなり、二つのフレームの片側には弾性部材が設けられてなり、他側には主動歯車及び被動歯車により構成される回転構造が設けられてなり、アクティブフレームに対し軽やかで円滑な開閉及び固定を達成する。
【考案を実施するための最良の形態】
【００１１】
本考案は折り畳み式携帯通信機器の回転構造に関してなり、図１，２に示すように、図式の回転構造は、携帯電話に搭載されてなり、本考案を具体的に実施例として示しているが、本考案の回転構造の範囲を制限するものではなく、類似する二つのフレームを組み合わせてなり、カバーを開閉する効果を具有する「携帯パソコン」も本考案の保護範囲とする。
【００１２】
本考案は携帯通信機器本体１を設けてなり、図に示す本体１は携帯電話にてなり、携帯電話のＩＣ回路、フレキシブルプリント基板、及び電池等は本考案の重点ではない為、詳細な記載を省略する。
【００１３】
上述の本体１は更に、固定フレーム１０、アクティブフレーム２０、主動歯車２３、弾性部材を設けてなり、
固定フレーム１０の表面には発光型、ＴＦＴ、ＬＣＤ形式のディスプレイ１１、及び数字及び機能ボタンを備える操作キーモジュール１２を設けてなり、上端表面の両側には上部に向かい対称をなす第一、第二収容部１３，１４から構成される収容部を凸設してなり、上端の表面には第一収容部１３よりに溝Ａが形成されてなり、第一収容部１３内側の溝に面する適当な箇所には軸孔１３１が設けられてなり、軸孔１３１は被動歯車１５を通過固定させることに用いられてなる。第二収容部１４内側の下端中央には第一収容部１３の方向にラッチ１４１が凸設されてなり、第一、第二収容部１３，１４の中心箇所には対応する軸孔Ｂが設けられてなる。固定フレーム１０の上縁面の第一収容部１３よりの箇所にはアンテナ１６が設けられてなる（アンテナは内蔵式設計にて固定フレームと一体に融合させてなることも可能である）。
【００１４】
アクティブフレーム２０は、上端の中央に二つの収容部の間に収容が可能な接合部２１を凸設してなり、接合部２１は横向きに軸２２を貫通してなり、軸２２の両側は第一、第二収容部１３，１４の軸孔Ｂ内に通されてなり、アクティブフレーム２０は固定フレーム１０に相対して開閉させてなる。
【００１５】
主動歯車２３は、接合部２１の外部に露出してなり、第一側面部の軸を固定されてなり、溝Ａ内に収容される被動歯車と相互に噛み合わさってなる。
【００１６】
弾性部材は、図に示すように、第一、第二端２４１、２４２を具有するバネ２４にてなり、バネ２４は接合部２１の第二側面より外部に露出してなる軸に被せられてなり、第一端はアクティブフレーム２０に挿入され、第二端２４２は第二収容部のラッチにて抑えられ、アクティブフレーム２０が開く時に弾性により自動で定位し省力の効果を提供してなる。
【００１７】
本考案の携帯通信機器本体１の軸を接合する箇所に主、被動歯車から構成される回転構造を増設してなり、達成される結合構造の効果を、図３乃至５を用いて説明する。
【００１８】
携帯電話本体１のカバーが閉じた状態で電話を受ける時、図３に示すように、アクティブフレーム２０を上に開き、バネの弾性回復特性を通して、比較的省力な方式でアクティブフレームを開き定位させる過程において、アクティブフレーム２０の片側に固定された主動歯車２３は被動歯車１５を回転運動させ、主、被動歯車１３，１５の回転運動を補助し、アクティブフレーム２０の開閉の円滑性を増加させてなり、同時にアクティブフレーム２０を開閉する過程において軽やかで円滑に開き固定させてなり（図４，５参照）、バネの弾性力により、接合する箇所の支持構造、二つのフレームの接合する箇所のフレキシブル基板の効果を保護してなり、折り畳み式携帯通信機器本体の結合構造の使用寿命を延長してなる。
【００１９】
図６は、固定フレーム３０とアクティブフレーム４０により連接される折り畳み式携帯パソコン１ａであり、携帯パソコン１ａの固定フレーム３０は操作モジュール３１を設けてなり、アクティブフレーム４０はディスプレイ４１を設けてなり、接合箇所の両側にはそれぞれ弾性部材及び、主、被動歯車の噛み合せによる回転構造を設けてなり、このように上述の実施例に示す長所を達成してなる。
【００２０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【図面の簡単な説明】
【００２１】
【図１】本考案の折り畳み式携帯通信機器の回転構造の分解図である。
【図２】本考案の折り畳み式携帯通信機器の回転構造の立体図である。
【図３】本考案の折り畳み式携帯通信機器の回転構造のカバー閉じた状態の説明図である。
【図４】本考案の折り畳み式携帯通信機器の回転構造のカバーを開く過程の状態説明図である。
【図５】本考案の折り畳み式携帯通信機器の回転構造のカバーを開いて固定した状態の説明図である。
【図６】本考案の折り畳み式携帯通信機器の回転構造第二実施例の携帯パソコンの立体外観図である。
【符号の説明】
【００２２】
１ 本体
１ａ 本体
１０ 固定フレーム
１１ ディスプレイ
１２ 操作キーモジュール
１３ 第一収容部
１３１ 固定孔
１４ 第二収容部
１４１ ラッチ
１５ 被動歯車
１６ アンテナ
２０ アクティブフレーム
２１ 接合部
２２ 固定軸
２３ 主動歯車
２４ バネ
２４１ 第一端
２４２ 第二端
３０ 固定フレーム
３１ 操作キーモジュール
４０ アクティブフレーム
４１ ディスプレイ
Ａ 溝
Ｂ 軸孔
【図１】
0003124117.tif 000003
【図２】
0003124117.tif 000004
【図３】
0003124117.tif 000005
【図４】
0003124117.tif 000006
【図５】
0003124117.tif 000007
【図６】
0003124117.tif 000008